(57)【要約】【課題】木材表面に、模様を形成するインク粒子を付着させたとしても、木材本来の木質感を得ることができる木質系化粧材およびその製造方法を提供する。【解決手段】木質系化粧材１の製造方法は、木質系基材２の木材表面２ａに付着したインク粒子３１により、木材表面２ａに木目模様３が形成された木質系化粧材１の製造方法である。木質系基材２として、木材表面２ａに、木材の導管を形成する管壁面２４が露出した木質系基材２を準備する工程と、管壁面２４により形成された凹空間２５を残すように、管壁面２４を含む木材表面２ａに、導管の直径よりも直径の小さいインク粒子３１を、インクジェット印刷により吹き付けることにより、木材表面２ａに木目模様３を印刷する。【選択図】図３
2020152113.tif 000002
【特許請求の範囲】
【請求項１】
木質系基材の木材表面に付着したインク粒子により、前記木材表面に模様が形成された木質系化粧材の製造方法であって、
前記木質系基材として、前記木材表面に、木材の導管または仮導管を形成する管壁面が露出した木質系基材を準備する工程と、
前記管壁面により形成された凹空間を残すように、前記管壁面を含む前記木材表面に、前記導管または仮導管の直径よりも直径の小さいインク粒子を、インクジェット印刷により吹き付けることにより、前記木材表面に前記模様を印刷する工程と、を含むことを特徴とする木質系化粧材の製造方法。
【請求項２】
前記模様を印刷する工程において、前記管壁面に、複数色のインク粒子を付着させることを特徴とする請求項１に記載の木質系化粧材の製造方法。
【請求項３】
前記木質系基材を準備する工程後、前記模様を印刷する工程の前に、前記木質系基材の前記木材表面を着色することを特徴とする請求項１または２に記載の木質系化粧材の製造方法。
【請求項４】
前記模様を印刷する工程の前に、前記木材表面の所定の領域を、前記管壁面により形成された凹空間に樹脂を充填するように樹脂皮膜で覆い、
前記模様を印刷する工程において、前記木材表面とともに、前記樹脂皮膜の表面に、前記模様を印刷することを特徴とする請求項１〜３のいずれか一項に記載の木質系化粧材の製造方法。
【請求項５】
前記木質系基材を準備する工程において、前記露出した管壁面を削ることを特徴とする請求項１〜４のいずれか一項に記載の木質系化粧材の製造方法。
【請求項６】
木質系基材の木材表面に付着したインク粒子により、前記木材表面に模様が形成された木質系化粧材であって、
前記木質系基材の前記木材表面は、木材の導管または仮導管を形成する管壁面を有しており、
前記管壁面により形成された凹空間を残すように、前記管壁面を含む前記木材表面にインク粒子が付着していることを特徴とする木質系化粧材。
【請求項７】
前記管壁面には、複数色のインク粒子が付着していることを特徴とする請求項６に記載の木質系化粧材。
【請求項８】
前記木質系基材の前記木材表面には、着色層が形成されており、前記着色層の表面に前記インク粒子が付着していることを特徴とする請求項６または７に記載の木質系化粧材。
【請求項９】
前記木材表面の所定の領域には、前記管壁面により形成された凹空間に樹脂を充填するように樹脂皮膜が被覆されており、
前記木材表面とともに、前記樹脂皮膜の表面にも、前記インク粒子が付着していることを特徴とする請求項６〜８のいずれか一項に記載の木質系化粧材。
【請求項１０】
前記管壁面により形成された凹空間と、前記木質系基材の厚さ方向に隣接する導管または仮導管とが、連通していることを特徴とする請求項６〜９のいずれか一項に記載の木質系化粧材。 
【発明の詳細な説明】
【技術分野】
【０００１】
本発明は、木質系基材の木材表面に付着したインク粒子により、木材表面に模様が形成された木質系化粧材およびその製造方法に関する。
【背景技術】
【０００２】
従来から、木材表面の意匠性を高めるために、その表面に木目模様を印刷した樹脂シートを貼着した木質系化粧材が利用されている。しかしながら、樹脂シートの表面には、同じ木目模様が繰り返し印刷されるばかりでなく、木質系化粧材の表面には、本来の木質感が得られない。
【０００３】
このような点を鑑みて、例えば、特許文献１には、木材の一面全面に、本杢調の外観など意匠性を有する木目模様の印刷層が形成されており、印刷層は可視光領域における透過率が７０％以上の紫外線硬化型インクからなる木質系化粧材が提案されている。また、特許文献２には、早生樹を用いた木材表面に、紫外線硬化型インクを使って、木材表面が見えるように木目模様を印刷した木質系化粧材が提案されている。
【先行技術文献】
【特許文献】
【０００４】
【特許文献１】特開２０１２−１１１０６９号公報
【特許文献２】特開２００６−３４７１４９号公報
【発明の概要】
【発明が解決しようとする課題】
【０００５】
しかしながら、特許文献１に示す木質系化粧材では、可視光を透過させるインク粒子で木材の全面を均一に覆うように、木目模様の印刷層が形成されているので、木質系化粧材の表面は略平坦な面となる。この結果、木質系化粧材の表面を、例えば斜め方向から見た場合には、木質系化粧材の表面に均一なテリが生じるように見え、木材本来の木質感を得ることができない。
【０００６】
一方、特許文献２に示す木質系化粧材では、印刷の下地となる木材表面を露出するように木目模様を印刷しているが、この場合であっても、インク粒子は、下地である木材表面の凹部を略埋めるように付着しているため、特許文献１のものと同様に、木材本来の木質感を得ることができない。
【０００７】
本発明は、このような点を鑑みてなされたものであり、その目的とするところは、木材表面に、模様を形成するインク粒子を付着させたとしても、木材本来の木質感を得ることができる木質系化粧材およびその製造方法を提供することにある。
【課題を解決するための手段】
【０００８】
発明者らは鋭意検討を重ねた結果、木材には、木材由来の導管または仮導管が形成され、切り出された木材表面には、凹空間を形成するように導管または仮導管の管壁面が露出していることに着眼した。この着眼点に基づいて、管壁面により形成された凹空間を残すように、インク粒子で印刷することで、木材表面に、導管または仮導管に起因した細かな陰影が形成され、この表面の細かな陰影が、木材本来の木質感に影響を与えるとの知見を得た。
【０００９】
本発明は、このような発明者らの知見に基づくものであり、本発明に係る木質系化粧材の製造方法は、木質系基材の木材表面に付着したインク粒子により、前記木材表面に模様が形成された木質系化粧材の製造方法であって、前記木質系基材として、前記木材表面に、木材の導管または仮導管を形成する管壁面が露出した木質系基材を準備する工程と、前記管壁面により形成された凹空間を残すように、前記管壁面を含む前記木材表面に、前記導管または仮導管の直径よりも直径の小さいインク粒子を、インクジェット印刷により吹き付けることにより、前記木材表面に前記模様を印刷する工程と、を含むことを特徴とする。
【００１０】
本発明によれば、模様を印刷する工程において、管壁面により形成された凹空間を残すように、管壁面を含む木材表面に、導管または仮導管の直径よりも直径の小さいインク粒子を、インクジェット印刷により吹き付ける。これにより、管壁面にインク粒子が付着しても、木材表面に凹空間が残るので、露出した管壁面の開口縁部がぼやけ難い。このような結果、木材表面に模様が印刷されたとしても、木質系化粧材の表面に、木材由来の導管または仮導管の陰影を与えることができ、木材本来の木質感を与えることができる。
【００１１】
ここで、本発明でいう「木材表面」とは、広葉樹または針葉樹などの天然の木材を切り出す際に、この木材に由来した導管または仮導管を形成する管壁面が露出した表面であって、凹空間を形成するように管壁面が露出した表面のことをいう。「管壁面により形成された凹空間を残す」とは、導管または仮導管と直交する断面において、凹空間をインク粒子で完全に埋めてしまわないことをいう。
【００１２】
より好ましい態様としては、前記模様を印刷する工程において、前記管壁面に、複数色のインク粒子を付着させる。この態様によれば、管壁面により形成された凹空間を完全に埋めないように、複数色の微細なインク粒子が付着するので、木材表面の質感を損なうことなく、より繊細な模様を、木質化粧材の表面に付与することができる。
【００１３】
さらに好ましい態様としては、前記木質系基材を準備する工程後に、前記模様を印刷する工程の前に、前記木質系基材の前記木材表面を着色する。この態様によれば、模様を印刷する工程の前に、木質系基材の木材表面を着色するので、この木材表面の木質繊維に着色剤が含浸された着色層が形成される。これにより、木質系基材の表面に形成された着色層に付着するインク粒子は、木質系基材の木材表面に滲み難いため、印刷された模様を際立たせることができる。また、木質系基材の木材表面を着色剤に含浸すれば、印刷工程において、木材表面の全面を着色したい色にインクジェットで印刷する必要がないので、迅速かつ安価に所望の下地色の木質系化粧材を得ることができる。
【００１４】
さらに好ましい態様としては、前記模様を印刷する工程の前に、前記木材表面の所定の領域を、前記管壁面により形成された凹空間に樹脂を充填するように樹脂皮膜で覆い、前記模様を印刷する工程において、前記木材表面とともに、前記樹脂皮膜の表面に、前記模様を印刷する。
【００１５】
この態様によれば、木材表面に模様を印刷する前に、所定の領域を樹脂皮膜で覆い、その後、木材表面と樹脂皮膜の表面に模様を印刷するので、所定の領域以外の印刷された表面に、木材本来の木質感を得ることができる。一方、所定の領域を覆う樹脂皮膜の表面は、凹空間が埋まった平滑な面であるので、樹脂皮膜の表面に印刷された模様は、平滑な模様に見え、木質系化粧材の表面から浮き上がったような模様に見える。なお、ここで、この態様の「前記模様を印刷する工程の前」とは、木質系基材を準備する工程後、上述した木材を着色する工程の前であっても、木材を着色する工程の後であってもよい。
【００１６】
さらに好ましい態様としては、前記木質系基材を準備する工程において、前記露出した管壁面を削る。この態様によれば、管壁面を棒たわし（うずくり）等で削ることにより、管壁面の縁部も削り、凹空間を広げかつ深くすることができる。これにより、管壁面により形成された凹空間を際立たせることができ、インク粒子が付着した木質系化粧材の表面の木質感をさらに高めることができる。さらに、凹空間と、木質系基材の厚さ方向に隣接する導管または仮導管とを、連通させることも可能であり、これにより、木材由来の導管または仮導管の模様をより一層際立たせることができる。
【００１７】
本明細書では、上述した知見に基づいた発明として、木質系化粧材を開示する。本発明に係る木質化粧材は、木質系基材の木材表面に付着したインク粒子により、前記木材表面に模様が形成された木質系化粧材であって、前記木質系基材の前記木材表面は、木材の導管または仮導管を形成する管壁面を有しており、前記管壁面により形成された凹空間を残すように、前記管壁面を含む前記木材表面にインク粒子が付着していることを特徴とする。
【００１８】
本発明によれば、木材表面に露出した管壁面により形成された凹空間を残すように、木材表面に、インク粒子が付着しているので、露出した管壁面の開口縁部がぼやけ難い。このような結果、木材表面に模様が印刷されたとしても、インク粒子が付着した木質系化粧材の表面に、木材の導管または仮導管由来の陰影を与えることができ、木材本来の木質感を与えることができる。
【００１９】
より好ましい態様としては、前記管壁面には、複数色のインク粒子が付着している。管壁面により形成された凹空間を埋めないように、複数色のインク粒子が付着しているので、木材表面の質感を損なうことなく、より繊細な模様を、木材表面に付与することができる。
【００２０】
より好ましい態様としては、前記木質系基材の前記木材表面には、着色層が形成されており、前記着色層の表面に前記インク粒子が付着している。ここでいう着色層は、この木材表面に含浸された状態の層のことをいう。
【００２１】
この態様によれば、着色層の表面に、インク粒子が付着するので、付着したインク粒子により形成された模様を際立たせることができる。特に、このような木質系化粧材を製造する際には、インク粒子を付着させる前に、着色層を予め形成するので、インク粒子が、着色層に付着する。これにより、インク粒子が木質系基材に滲み難いため、印刷された模様をさらに際立たせることができる。
【００２２】
さらに好ましい態様としては、前記木材表面の所定の領域には、前記管壁面により形成された凹空間に樹脂を充填するように樹脂皮膜が被覆されており、前記木材表面とともに前記樹脂皮膜の表面に、前記インク粒子が付着している。
【００２３】
この態様によれば、木材表面のうち、所定の領域では、管壁面に由来の凹空間が埋まった樹脂皮膜の平滑な表面が形成され、この表面に、模様の一部を形成するインク粒子が付着している。一方、所定の領域以外では、管壁面に由来の凹空間が形成され、この凹空間を埋めないようにインク粒子が付着している。このような結果、樹脂皮膜の表面の模様は、平滑な模様に見え、その他の木材表面は木質感を有するので、樹脂皮膜の表面の模様は、木質系化粧材の表面から浮き上がったような模様に見える。
【００２４】
より好ましい態様としては、前記管壁面により形成された凹空間と、前記木質系基材の厚さ方向に隣接する導管または仮導管とが、連通している。この態様によれば、前記凹空間と、木質系基材の厚さ方向に隣接する導管または仮導管とを連通させることにより、木材由来の導管または仮導管をより一層際立たせることができる。
【発明の効果】
【００２５】
本発明によれば、木材表面に、模様を形成するインク粒子を付着させたとしても、木材本来の木質感を得ることができる。
【図面の簡単な説明】
【００２６】
【図１】（ａ）は、第１実施形態に係る木質系基材と印刷される木目模様とを示した模式的斜視図であり、（ｂ）は、（ａ）に示す木質系化粧材の模式的斜視図である。
【図２】図１（ｂ）に示す木質系化粧材の表面の模式的拡大断面図である。
【図３】第１実施形態に係る木質系化粧材の製造方法において、印刷工程を説明するための模式的拡大断面図である。
【図４】（ａ）は、第２実施形態に係る木質系化粧材の製造方法において、着色工程を説明するための模式的拡大断面図であり、（ｂ）は、（ａ）に示す着色工程後に、行う印刷工程を説明するための模式的拡大断面図である。
【図５】（ａ）は、第３実施形態に係る木質系基材と印刷される模様を示した模式的斜視図であり、（ｂ）は、（ａ）に示す木質系化粧材の模式的斜視図である。
【図６】（ａ）は、第１領域における木質系化粧材の表面の模式的拡大断面図であり、（ｂ）は、第２領域における木質系化粧材の表面の模式的拡大断面図である。
【図７】第４実施形態に係る木質系基材に前処理工程を行った木質系化粧材の模式的拡大断面図である。
【発明を実施するための形態】
【００２７】
以下に、図面を参照して、第１〜第４実施形態に係る木質系化粧材１とその製造方法について説明する。
〔第１実施形態〕
１．木目模様３が印刷される木質系基材２について
図１（ａ）は、第１実施形態に係る木質系基材２と印刷される木目模様３とを示した模式的斜視図であり、（ｂ）は、（ａ）に示す木質系化粧材１の模式的斜視図である。図２は、図１（ｂ）に示す木質系化粧材１の表面の模式的拡大断面図である。
【００２８】
本実施形態に係る木質系化粧材１は、図１に示すように、木質系基材２の天然木材からなる木材表面２ａに、後述する木目模様３を印刷したものである。なお、本実施形態では、図１に示す如く、木質系基材の一例として床材を例示しているが、表面に天然の木目模様が形成されているのであれば、壁材、階段の踏板、または天井材など、特に限定されるものではない。
【００２９】
本実施形態では、図１（ａ）に示すように、木質系基材２は、合板からなる基材本体２１の表面に、複数（具体的は４枚）の突板（木片）２３が貼着されている。突板２３の表面２３ａは、天然の木材表面であり、隣接する突板２３，２３同士には継ぎ目２３ｂが形成されている。
【００３０】
木質系基材２の木材表面２ａの周縁は面取り部２３ｃが形成されており、具体的には、面取り部２３ｃは、突板２３の表面２３ａから、基材本体２１の側面の一部に亘って形成されている。木質系基材２の側面の周縁には、雄実部２２ａと雌実部２２ｂとが形成されている。木質系基材２の雄実部２２ａとこれに隣接する木質系基材２の雌実部２２ｂを係合することにより、木質系基材２，２（木質系化粧材１，１）同士を実接合することができる。
【００３１】
ここで、本実施形態では、基材本体２１の一例として合板を挙げたが、例えば、パーティクルボード（ＰＢ）、木質繊維板（ＭＤＦ・インシュレーションボード・ハードボードなど）、配向性ストランドボード（ＯＳＢ）、ＬＶＬ、集成材、または無垢材などを挙げることができる。上述した突板２３等の木材を、その表面に貼着することができ、木質系基材２（木質系化粧材１）の剛性および強度を確保することができるのであれば、その材質および厚さは特に限定されるものではない。
【００３２】
さらに、基材本体２１は、合板等の木質材料を例示したが、突板２３等の天然の木材（道管または仮導管の一部有した木材）を表面に貼着し、木質系基材２を、木材からなる木材表面２ａにすることができるのであれば、その材質は限定されるものではない。したがって、基材本体２１が、樹脂と木材を混合した複合型のベース部材であってもよく、ポリ塩化ビニル、ポリウレタン、ポリオレフィン系樹脂（ポリエチレン、ポリプロピレン、ポリエチレンビニルアセテート、ポリビニルアルコールなど）の樹脂製の基材本体であってもよい。さらに、基材本体２１が、ロックウールボードなどの無機繊維、または、炭素繊維からなる基材本体であってもよい。
【００３３】
突板２３は、表面２３ａに、突板２３（木材）に由来した天然の木目模様が形成された単板であり、木質系基材２の表面を化粧する表面化粧材として用いられる単板である。突板２３の厚さは、０．１〜１．０ｍｍの範囲にあることが好ましい。
【００３４】
突板２３の表面２３ａである木質系基材２の木材表面２ａには、図２に示すように、導管または仮導管を形成する管壁面２４が露出しており、管壁面２４により凹空間２５が形成されている。より具体的には、管壁面２４は、木材表面２ａに沿って溝状に凹空間２５を形成しており、本実施形態では、印刷後の木質系化粧材１の表面の木質感を高めるため、木材表面２ａは、板目または柾目であることが好ましい。
【００３５】
ここで、突板２３の材料（木材表面２ａを構成する材料）としては、仮導管が形成されたスギ、ヒノキ、エゾマツ、ネコズ、または、カラマツなどの針葉樹などでもあってよい。しかしながらが、一般的に、針葉樹の仮導管の直径よりも、広葉樹の導管の直径の方が大きいことから、広葉樹であることが好ましい。これにより、後述するインクジェット印刷を行っても、導管に由来した木材表面に特有の陰影を、より際立たせることができる。
【００３６】
突板２３の材料（木材表面２ａを構成する材料）としては、ビーチ、オーク、メイプル、ケヤキ、ウォールナット、シナ、ナラ、ヤチダモ、キリ、マホガニー、チーク、ローズウッド、トチ、クロガキ、シオジ、ニレ、カバ、クリ、レッドラワン、ブナ、ヤマザクラ、タンギール、またはコクタンなどの広葉樹が好ましい。
【００３７】
特に、本実施形態では、後述する印刷工程において、木質系基材２の木材表面２ａに吹き付けるインク粒子３１の直径Ｄ２よりも、その木材の導管の直径Ｄ１が大きいことが条件である。したがって、上に例示した広葉樹の中でも、導管の直径が比較的に大きいクリ、ミズナラなどのオーク、チーク、または、レッドラワンなどが好ましい。
【００３８】
ここで、例えば、突板２３の代わりに、基材本体２１の表面を化粧する表面化粧材として上述した材料からなる挽板を用いてもよい。その場合には、挽板の厚さは、１ｍｍ〜３ｍｍの範囲にあることが好ましい。
【００３９】
突板２３を基材本体２１に貼着するにあたっては、基材本体２１の表面または突板２３の裏面の少なくとも一方に粘着剤を塗布し、接着剤を硬化させることにより、基材本体２１の表面に突板２３を接着する。上述した雄実部２２ａと雌実部２２ｂの実加工および木材表面２ａの周縁の面取り加工は、これらが接着された後、行われる。
【００４０】
なお、木質系基材２の裏面には、防音用の複数の溝が形成されていてもよく、発泡ゴムシート、発泡樹脂シートなどの衝撃緩衝材が貼着されていてもよく、紙、不織布、生地（フェルトなど）の裏打ち材などが、貼着されていてもよい。
【００４１】
２．木質系化粧材１について
図１（ａ）に示す木質系基材２の木材表面２ａに、木目模様（印刷パターン）３を印刷し、図１（ｂ）に示す木質系化粧材１を得ることができる。具体的には、図２に示すように、木質系基材２の木材表面２ａの管壁面２４により形成された凹空間２５を残すように、管壁面２４を含む木材表面２ａに、（紫外線硬化）樹脂製のインク粒子３１が付着し、このインク粒子３１により、木目模様３が形成されている。
【００４２】
このように、木材表面２ａの管壁面２４により形成された凹空間２５を残すように、木材表面２ａに、インク粒子３１が付着しているので、露出した管壁面２４の開口縁部がぼやけ難い。このような結果、木材表面２ａに模様が印刷されたとしても、インク粒子３１が付着した木質系基材２の木材表面２ａ（すなわち、木質系化粧材１の表面１ａ）に、木材の導管または仮導管に由来の陰影を与えることができ、木材本来の木質感を与えることができる。
【００４３】
インク粒子３１は、単色の粒子であってもよいが、本実施形態では、後述するように、イエロー、マゼンダ、シアン、およびブラックの４色の粒子で構成され、管壁面２４を含む木質系基材２の木材表面２ａには、複数色のインク粒子３１が付着している。これにより、管壁面２４により形成された凹空間２５を埋めないように、複数色のインク粒子３１が付着しているので、木材表面２ａの質感を損なうことなく、より繊細な模様を、木質系化粧材１の表面１ａに付与することができる。
【００４４】
３．木質系化粧材１の製造方法について
以下に、本実施形態に係る木質系化粧材１の製造方法を説明する。図３は、第１実施形態に係る木質系化粧材１の製造方法において、印刷工程を説明するための模式的拡大断面図である。
【００４５】
まず、木目模様３が印刷される木質系基材２を準備する。具体的には、上述した如く、突板２３の表面２３ａである木質系基材２の木材表面２ａには、木材の導管を形成する管壁面２４が露出しており、露出した管壁面２４により凹空間２５が形成されている。
【００４６】
次に、木質系基材２の木材表面２ａに、木目模様３を印刷する。木目模様３の印刷はインクジェットプリンタ（図示せず）を用いて行われる。本実施形態では、インクジェットプリンタのインクは、例えばイエロー、マゼンダ、シアン、およびブラックの４色で構成され、これらのインクを用いて、図３に示すように、突板２３の表面２３ａに木目模様３を印刷する。
【００４７】
インクジェットプリンタは、一般的な印刷に用いられるインクを収容し、上述した画像に基づいて印刷すべき表面模様３に合わせて各インクを個別に噴射するヘッドと、木質系基材２を送るフィーダと、を少なくとも備えている。
【００４８】
このようなインクジェットプリンタを用いて、各インクを木目模様３に応じて、木質系基材２の木材表面２ａに対して略直交した方向からヘッドで噴射しながら、フィーダで木質系基材２を送り、木質系基材２の木材表面２ａ（具体的には突板２３の表面２３ａ）、雄実部２２ａの表面等に木目模様３を印刷する。本実施形態では、木質系化粧材１の表面１ａに対して平面視した状態で、突板２３、面取り部２３ｃ、および雄実部２２ａの上表面に印刷された表面模様３が、連続した１つの木目模様に見えるように、木質系基材２に木目模様３を印刷する。これにより、印刷された木質系化粧材１は、１枚の無垢材のごとく見える。
【００４９】
図３に示すように、本実施形態では、管壁面２４により形成された凹空間２５を残すように、管壁面２４を含む木材表面２ａに木目模様３を印刷する。具体的には、導管の直径Ｄ１よりも小さい直径Ｄ２を有した、未硬化の紫外線硬化樹脂製のインク粒子３１を、インクジェット印刷により吹き付ける。これにより、インク粒子３１で凹空間２５を完全に埋めることなく、木材表面２ａに木質感を残しつつ、木目模様３を印刷することができる。
【００５０】
ここで、導管の直径Ｄ１とは、導管に対して直交する断面における導管に内接する直径（最小の直径）のことである。一方、インク粒子３１の直径Ｄ２とは、ヘッド（のノズル）から噴射されるインク粒子を球体と仮定したときに、噴射されるインク粒子の量から算出される球体の直径である。
【００５１】
例えば、突板の木材にクリを選定した場合には、その導管の直径は８０〜４００μｍである。突板の木材にブナを選定した場合には、その導管の直径は２０〜１１０μｍである。突板の木材にミズナラを選定した場合には、その導管の直径は１００〜３００μｍである。突板の木材にヤマザクラを選定した場合には、その導管の直径は１５〜９０μｍである。突板の木材にチークを選定した場合には、その導管の直径は２４０〜４５０μｍである。突板の木材にレッドラワンを選定した場合には、その導管の直径は２１０〜４８０μｍである。なお、突板の木材に、針葉樹であるスギを選定した場合には、その仮導管の直径は、１０〜５０μｍである。突板の木材に、ヒノキを選定した場合には、その仮導管の直径は、５〜５０μｍである。
【００５２】
例えば、これらの木材の中でも導管の直径が比較的に大きいクリ、ミズナラなどのオーク、チーク、または、レッドラワンなどを選定した場合には、導管の直径Ｄ１は、８０〜４８０μｍの範囲に収まる。このような場合、例えば、インク粒子３１の直径Ｄ２は、好ましくは、２０〜４５μｍであり、より好ましくは、２０〜３０μｍである。
【００５３】
例えば、吹き付けるインク粒子３１の直径Ｄ１が、２０〜４５μｍである場合には、インクジェットノズルからのインクの吐出量が、４〜５０ｐｌであればよい。また、吹き付けるインク粒子３１の直径Ｄ１が、２０〜３０μｍである場合には、インクジェットノズルからのインクの吐出量が、４〜１４ｐｌであればよい。
【００５４】
ここで、表面模様３の印刷用のインクに紫外線硬化型のインクを用いた場合には、上述したインクジェットプリンタで紫外線硬化型のインクを表面模様３となるように木質系基材２の木材表面２ａに塗布後、その表面に紫外線を照射させ、インクを硬化させる。
【００５５】
紫外線硬化型のインクとしては、例えば、一般的に知れた反応性オリゴマー、反応性モノマーおよび光重合開始剤からなる紫外線硬化型樹脂と、着色剤とから構成されたインクなどを挙げることができる。本実施形態では、印刷用のインクに、紫外線硬化型のインクを用いたので、インク３４が突板２３の表面２３ａに殆ど含浸されず、鮮明な木目模様を得ることができる。
【００５６】
なお、本実施形態では、印刷用のインクに、紫外線硬化型のインクを用いたが、水性インクまたは油性インクを用いてもよい。このようなインクを用いた場合には、インク粒子３１が突板２３の表面２３ａに含浸される。これにより、木質系化粧材１は、突板２３の表面２３ａの天然の木目模様に応じて形成された突板２３の表面２３ａの凹凸形状を鮮明に残すことができ、表面模様３とともに突板２３の表面２３ａに形成された天然の木目模様を視認することができる。
【００５７】
本実施形態では、上述したごとく、管壁面２４により形成された凹空間２５を残すように、管壁面２４を含む木材表面２ａに、導管の直径Ｄ２よりも直径の小さいインク粒子３１を、インクジェット印刷により吹き付ける。これにより、管壁面２４にインク粒子３１が付着しても、木材表面２ａには凹空間２５が残るので、管壁面２４の開口縁部がぼやけ難い。このような結果、木材表面２ａに木目模様３が印刷されたとしても、インク粒子３１が付着した木質系化粧材１の表面１ａに、木材由来の導管の陰影を与えることができ、木材本来の木質感を与えることができる。
【００５８】
なお、本実施形態では、模様として、インク粒子３１を付着させることにより、木目模様３を形成した。さらに、この木目模様に対して、例えば、従来、木材表面模様としては良好とされない、節、割れ、やに、杢、入り皮、金筋、シュガー筋、偽芯、アテ、色ムラ、または、てりの模様など、木材固有の模様を含めてもよく、木材を切断加工したときに形成されるノコギリの傷跡（ラフソーン）の模様を印刷してもよい。
【００５９】
このような木質系化粧材１によれば、木質系化粧材１の表面１ａにおいて、突板２３に由来した天然の木目模様とともに、この木目模様とは異なる木目模様３が見えるので、木質系化粧材１の表面１ａに、その木目模様が形成されているかのように見える。
【００６０】
〔第２実施形態〕
図４（ａ）は、第２実施形態に係る木質系化粧材１の製造方法において、着色工程を説明するための模式的拡大断面図であり、図４（ｂ）は、図４（ａ）に示す着色工程後に、行う印刷工程を説明するための模式的拡大断面図である。第２実施形態に係る木質系化粧材１の製造方法が、第１実施形態のものと異なる点は、着色工程をさらに含む点である。したがって、他の工程は第１実施形態のものと同じであるので、その詳細な説明を省略する。
【００６１】
本実施形態では、木質系基材２を準備する工程後、図４（ｂ）に示す木目模様を印刷する印刷工程の前に、図４（ａ）に示すように、木質系基材２の木材表面２ａを着色する。本実施形態では、木質系基材２の木材表面２ａを着色するので、この木材表面の木質繊維に着色剤が含浸された着色層４が形成される。本実施形態では、木質系基材２の木材表面２ａには、着色層４が含浸されているが、例えば、着色層４が、木質系基材２の木材表面２ａに被覆されていてもよい。
【００６２】
このように、木材表面２ａに着色層４が形成されているので、本実施形態では、図４（ａ）に示すように、印刷工程において、着色層４にインク粒子３１が付着し、付着したインク粒子３１は、木質系基材２の木材表面２ａに滲み難い。このため、印刷された木目模様３を際立たせることができる。また、印刷工程において、木材表面２ａの全面を着色したい色にインクジェットで印刷する必要がないので、迅速かつ安価に所望の下地色の木質系化粧材１を得ることができる。
【００６３】
〔第３実施形態〕
図５（ａ）は、第３実施形態に係る木質系基材２と印刷される模様３Ａを示した模式的斜視図であり、図５（ｂ）は、図５（ａ）に示す木質系化粧材１の模式的斜視図である。図６（ａ）は、第１領域２ｂにおける木質系化粧材１の表面の模式的拡大断面図であり、図６（ｂ）は、第２領域２ｃにおける木質系化粧材１の表面の模式的拡大断面図である。第３実施形態が、第１実施形態と相違する点は、樹脂皮膜６を設けた点と、印刷される模様３Ａである。したがって、第１実施形態のものと同じ構成の詳細な説明を省略する。
【００６４】
本実施形態では、図５（ａ）および図６（ｂ）に示すように、文字「Ｅ」に相当する木材表面２ａの第１領域２ｂには、管壁面２４により形成された凹空間２５に樹脂を充填するように樹脂皮膜６が被覆されている。樹脂皮膜６の表面６ａには、インク粒子３１により文字となる模様３ａが印刷されている。一方、図５（ａ）および図６（ｂ）に示すように、第２領域２ｃには、第１実施形態と同じく、凹空間２５を残すように付着したインク粒子３１により、木目模様３ｂが形成されている。
【００６５】
図５（ｂ）に示す木質系化粧材１を製造する際には、模様３Ａを印刷する工程の前に、木材表面２ａの第１領域２ｂを、管壁面２４により形成された凹空間２５に樹脂を充填するように樹脂皮膜６で覆う。樹脂皮膜６は、例えば、第２領域２ｃをマスキング後、第１領域２ｂに樹脂をコーティングすることにより得ることができる。この他にも、樹脂皮膜６は、例えば、インクジェット印刷により、第１領域２ｂに、管壁面２４により形成された凹空間２５を埋めるように、樹脂製のインク粒子を付着させることにより、得ることもできる。その後、樹脂皮膜の表面６ａに、模様３ａを印刷し、第２領域２ｃである木材表面に、第１実施形態と同じく、凹空間２５を残すようにインク粒子３１で模様３ｂを印刷する。
【００６６】
本実施形態によれば、図５（ａ）および図６（ａ）に示すように、木材表面２ａのうち、第１領域２ｂでは、導管に由来の凹空間２５が埋まった樹脂皮膜６の平滑な表面６ａが形成され、この表面６ａに、模様３Ａの一部である文字「Ｅ」の模様３ａを形成するインク粒子３１が付着している。一方、図５（ａ）および図６（ｂ）に示すように、第２領域２ｃでは、導管に由来の凹空間２５が形成され、凹空間２５を埋めないようにインク粒子３１が付着し、木目模様３ｂを形成している。
【００６７】
このような結果、図５（ｂ）に示すように、樹脂皮膜６の表面６ａの模様３ａは、平滑な模様に見え、その他の木目模様３ｂは、木材表面２ａの木質感を有するので、樹脂皮膜６の表面６ａの模様３ａは、木質系化粧材１の表面１ａから浮き上がったような模様に見える。特に、樹脂皮膜６を透明色にすることにより、この効果をより一層発揮することができる。
【００６８】
〔第４実施形態〕
図７は、第４実施形態に係る木質系基材２に前処理工程を行った木質系化粧材１の模式的拡大断面図である。第４実施形態が、第１実施形態と相違する点は、木質系基材２の表面に前処理工程を行った点である。したがって、第１実施形態のものと同じ構成については詳細な説明を省略する。
【００６９】
本実施形態では、木質系基材２を準備する工程において、印刷工程の前処理工程として露出した管壁面２４を削り、その後、第１実施形態と同様に印刷工程を行う。具体的には、前処理工程として木質系基材２の管壁面２４を棒たわし（うずくり）等で削ることにより、凹空間２５を広げかつ深くすることができる。
【００７０】
これにより、図７に示すように、管壁面２４により形成された凹空間２５を際立たせることができ、インク粒子３１が付着した木質系化粧材１の表面１ａの木質感をさらに高めることができる。さらに、凹空間２５と、木質系基材２の厚さ方向に隣接する導管７とを、連通させることも可能であり、これにより、木材由来の導管の模様をより一層際立たせることができる。
【００７１】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００７２】
本実施形態では、木質系基材の木材表面に、木目模様を印刷したが、印刷する模様は木目模様に限定されるものではなく、例えば幾何学的な模様、文字、図形、その他、インク粒子を付着させることにより、木材表面に模様を付すことができるのであれば、これらの模様は特に限定されるものではない。
【００７３】
本実施形態では、木質系基材の表面に突板を貼着することにより、木質系基材（木材）とした。しかしながら、木質系基材に合板の代わりに無垢材を用いた場合には、無垢材の表面に、木材に由来した天然の木目模様が形成されているので、突板を省略してもよい。
【００７４】
本実施形態では、木質系基材の木質表面が、広葉樹の木質表面であり、導管が形成されていた。しかしながら、例えば、針葉樹の仮導管に由来の凹空間を残すように、インク粒子により模様を形成することができるのであれば、木質系基材の木質表面が、針葉樹の木質表面であってもよい。
【符号の説明】
【００７５】
１：木質系化粧材、２：木質系基材、３：木目模様、３Ａ：模様、４：着色層、６：樹脂皮膜、２１：基材本体、２２ａ：雄実部、２２ｂ：雌実部、２３：突板、２４：管壁面、２５：凹空間、３１：インク粒子 
【図１】
2020152113.tif 000003
【図２】
2020152113.tif 000004
【図３】
2020152113.tif 000005
【図４】
2020152113.tif 000006
【図５】
2020152113.tif 000007
【図６】
2020152113.tif 000008
【図７】
2020152113.tif 000009
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
木質系基材の木材表面に付着したインク粒子により、前記木材表面に模様が形成された木質系化粧材の製造方法であって、
前記木質系基材として、前記木材表面に、木材の導管または仮導管を形成する管壁面が露出した木質系基材を準備する工程と、
前記管壁面を含む前記木材表面に、前記インク粒子を、インクジェット印刷により吹き付けることにより、前記木材表面に前記模様を印刷する工程と、を含み、
前記模様を印刷する工程において、前記管壁面により形成された凹空間を残しつつ、前記管壁面の一部が露出するように、前記インク粒子として、紫外線硬化型のインク粒子を、前記管壁面を含む前記木材表面に吹き付けた後、前記木材表面に吹き付けた前記インク粒子に紫外線を照射することにより、前記インク粒子を硬化させることを特徴とする木質系化粧材の製造方法。
【請求項２】
前記インク粒子の直径は、２０〜４５μｍの範囲にあり、前記木質系基材を準備する工程における前記木材は、広葉樹であることを特徴とする請求項１に記載の木質系化粧材の製造方法。
【請求項３】
前記木質系基材を準備する工程後、前記模様を印刷する工程の前に、前記木質系基材の前記木材表面から、前記木材表面の木質繊維に着色剤を含浸することを特徴とする請求項１または２に記載の木質系化粧材の製造方法。
【請求項４】
前記模様を印刷する工程の前に、前記木材表面の所定の領域に、前記管壁面により形成された凹空間に樹脂を充填するように樹脂皮膜を覆い、
前記模様を印刷する工程において、前記木材表面とともに、前記樹脂皮膜の表面に、印刷を行うことを特徴とする請求項１〜３のいずれか一項に記載の木質系化粧材の製造方法。
【請求項５】
前記木質系基材を準備する工程において、前記露出した管壁面を削ることを特徴とする請求項１〜４のいずれか一項に記載の木質系化粧材の製造方法。
【請求項６】
木質系基材の木材表面に付着したインク粒子により、前記木材表面に模様が形成された木質系化粧材であって、
前記木質系基材の前記木材表面は、木材の導管または仮導管を形成する管壁面を有しており、
前記管壁面により形成された凹空間を残しつつ管壁面の一部が露出するように、前記管壁面を含む前記木材表面に紫外線硬化型のインク粒子が付着していることを特徴とする木質系化粧材。
【請求項７】
前記木質系基材の前記木材表面には、着色剤が含浸された着色層が形成されており、前記着色層の表面に前記インク粒子が付着していることを特徴とする請求項６に記載の木質系化粧材。
【請求項８】
前記木材表面の所定の領域には、前記管壁面により形成された凹空間に樹脂を充填するように樹脂皮膜が被覆されており、
前記木材表面とともに、前記樹脂皮膜の表面にも、前記インク粒子が付着していることを特徴とする請求項６または７に記載の木質系化粧材。
【請求項９】
前記管壁面により形成された凹空間と、前記木質系基材の厚さ方向に隣接する導管または仮導管とが、連通していることを特徴とする請求項６〜８のいずれか一項に記載の木質系化粧材。